(57)【要約】      （修正有）【課題】水着及びビキニは水着であり、単純な衣服であり、その衣服を完全にカバーするか交換することなしに、簡易に外観を変更して異なる「外見」を作り出すことができる、改良された衣服を提供する。【解決手段】衣服２上の１つ以上の場所又は位置へ選択的に取り付けることができる補足的な布材料の部分又はセクションを提供するために構成された、少なくとも取り外し可能な布拡張部分８を有する衣服であり、取り外し可能な布拡張部分は取り付け手段を取り外し可能な布拡張部分上に含み、かつ１つ以上の布材料のセクションは、取り付け手段から実質的に横方向に延長する、若しくは従属するように備えられる、改良された衣服。【選択図】図１
2020193418.tif 000002
【特許請求の範囲】
【請求項１】
衣服上の少なくとも１つ以上の場所又は位置に選択的に取り付けることができる布材料の補足的な部分又はセクションを備えるために構成された、少なくとも１つの取り外し可能な布拡張部分を含む、衣服であって、
前記取り外し可能な布拡張部分は、取り外し可能な布拡張部分上に取り付け手段を含み、布材料の１つ以上のセクションが、実質的に横方向に、取り付け手段から延長する若しくは従属する、
前記衣服。
【請求項２】
衣服が海水着又はサンウェア（ｓｕｎ−ｗｅａｒ）の衣服である、請求項１に記載の衣服。
【請求項３】
取り付け手段は、実質的に線形の配置で、及び／又は実質的に軸に沿って、備えられる、請求項１又は２に記載の衣服。
【請求項４】
取り外し可能な布拡張部分は、交換可能である、請求項１〜３のいずれか１項に記載の衣服。
【請求項５】
対応的又は相補的な取り付け手段も、また、衣服の１つ以上の部分に位置する、請求項１〜４のいずれか１項に記載の衣服。
【請求項６】
取り付け手段は、取り外し可能な布拡張部分が取り付けられ得る方に、軸、位置、及び／又は進路を備える、請求項１〜５のいずれか１項に記載の衣服。
【請求項７】
さらに典型的には、取り付け手段は、布材料が取り付け手段から実質的に下へ掛かる、若しくは下方へ従属するように、少なくとも１つの位置にて衣服を横切って実質的に水平方向に伸びる、請求項１〜６のいずれか１項に記載の衣服。
【請求項８】
取り付け手段は、１つ以上の位置にて、取り外し可能な布拡張部分を衣服に取り付けるための固定の手段又は構成を含む、請求項１〜７のいずれか１項に記載の衣服。
【請求項９】
取り付け手段は、いずれか１つ又はいずれかの組合せのスタッド（ｓｔｕｄ）、ボタン、クリップ、ホック、ひも穴（ｅｙｅｌｅｔ）、ジッパー及び／又はそれに類するものを含み、及び／又はプレススタッド（ｐｒｅｓｓ  ｓｔｕｄ）、ホッパースタッド（ｐｏｐｐｅｒ  ｓｔｕｄ）及び／又はクリップを含む、請求項１〜８のいずれか１項に記載の衣服。
【請求項１０】
取り外し可能な布拡張部分は、１つ以上の布のフリル、ひだ（ｒｕｆｆｌｅ）及び／又はそれに類するものを含む、請求項１〜９のいずれか１項に記載の衣服。
【請求項１１】
衣服は、取り付け手段を含むビキニ又はツーピースの水着、及びブラジャー部分及び／又はショーツ部分である、請求項１〜１０のいずれか１項に記載の衣服。
【請求項１２】
衣服は、同じものの上に位置する取り付け手段の少なくとも１つの構成を有する、請求項１〜１１のいずれか１項に記載の衣服。
【請求項１３】
衣服は、取り付け手段の列が衣服の上衣又はブラジャー部分に位置し、かつ取り付け手段の列が衣服の下衣又はショーツ部分に位置する、ビキニである、請求項１〜１２のいずれか１項に記載の衣服。
【請求項１４】
布拡張部分は、実質的に衣服と同じ布材料から形成される、請求項１〜１３のいずれか１項に記載の衣服。
【請求項１５】
布拡張部分の高さ又は厚さは、衣服の高さ若しくは厚さより少ない又はより小さい、請求項１〜１４のいずれか１項に記載の衣服。
【請求項１６】
布拡張部分は、実質的に衣服より長い、請求項１〜１５のいずれか１項に記載の衣服。
【請求項１７】
取り付けた場合にスカートを形成する布拡張部分が備えられる、請求項１〜１６のいずれか１項に記載の衣服。
【請求項１８】
単一の布拡張部分は、衣服上の２つ以上の場所に取り付けることができる、請求項１〜１７のいずれか１項に記載の衣服。
【請求項１９】
単一の布拡張部分は、ビキニ水着の上衣又はショーツに選択的に取り付けることができる、請求項１〜１８のいずれか１項に記載の衣服。
【請求項２０】
衣服を改変する方法であって、
前記衣服は、衣服上の少なくとも１つ以上の場所に選択的に取り付けることができる布材料の補足的な部分又はセクションを備えるために構成された、少なくとも１つの取り外し可能な布の拡張部分を含み、
前記取り外し可能な布拡張部分は、取り外し可能な布拡張部分上に実質的に線形の配置で備えられた取り付け手段を含み、布材料の１つ以上のセクションが、取り付け手段から実質的に横方向に延長する、若しくは従属し、
前記方法は、前記取り付け手段により前記取り外し可能な布拡張部分を衣服へ取り付ける工程を含む、
前記方法。
【請求項２１】
衣服上の少なくとも１つ以上の場所に選択的に取り付けることができる布材料の補足的な部分又はセクションを備えるために構成された、少なくとも１つの取り外し可能な布の拡張部分を含む、衣服を構成又は製造する方法であって、
前記取り外し可能な布拡張部分は、取り付け手段を含み、布材料の１つ以上のセクションが、取り付け手段から実質的に横方向に、延長する、若しくは従属し、
前記方法は、前記取り付け手段を衣服及び／又は取り外し可能な布拡張部分へ取り付ける工程を含む、
前記方法。
【請求項２２】
日光浴及び／又は水泳に適切な衣服システムであって、前記衣服システムは、取り外し可能な布拡張部分が衣服上の少なくとも１つ以上の場所へ選択的に取り付けることができる布材料の補足的な部分又はセクションを備える、少なくとも１つの取り外し可能な布拡張部分を含む、前記衣服システム。
【請求項２３】
衣服の小売りパックであって、前記パックは、衣服と少なくとも１つの交換可能で取り外し可能な布部分とを含む、前記衣服の小売りパック。
【発明の詳細な説明】
【技術分野】
【０００１】
本発明は、衣服、特に女性用ツーピース（ｔｗｏ  ｐｉｅｃｅ）の海水着、ビキニ、ショーツ、スカート及びさらにマンキニ（ｍａｎｋｉｎｉ）などを含む水着衣服のための改良に関する。
【背景技術】
【０００２】
下記の記述はツーピースの水着を指すが、当業者は特に他の衣服及びワンピース（ｏｎｅ  ｐｉｅｃｅ）の水着に本発明を適用することが可能であることを認識するであろう。
【０００３】
シングルピース及びツーピース（ビキニ）の水着はよく知られている。特にビキニは着用者のへそが見える水着又は海水着に最初は適用されたが、しかしながら、慣習的にはどんなツーピースの水着もビキニとして又はそれの変形として通常言及する。従来のビキニは比較的単純なデザインによって特徴づけられる；第１の布の１片（通常２つの三角形）はブラジャーを形成して女性の胸をカバーし、対のショーツ又はパンティーは通常カットされて、へそ以下をカバーする。
【発明の概要】
【発明が解決しようとする課題】
【０００４】
特に従来の水着及びビキニに関する１つの問題は、それらが明らかに水着であり、すべての状況あるいは周囲の環境にふさわしくないということである。さらに、ビキニ及び水着はかなり単純な衣服であり、それゆえ、その衣服を完全にカバーするか交換するかしなければ、この外観を変更して異なる「外見」を作り出すことは難しい。
【課題を解決するための手段】
【０００５】
したがって、上述の問題に取り組む衣服を提供することは本発明の目的である。
【０００６】
上述の問題に取り組む衣服を使用する方法を提供することは本発明のさらなる目的である。
【０００７】
上述の問題に取り組む衣服を構成する及び／又は製造する方法を提供することは本発明のなおさらなる目的である。
【０００８】
本発明の特定の実施形態は以下の図を参照して記載される：
【図面の簡単な説明】
【０００９】
【図１】図１ａ〜１ｃは、本発明の一実施形態に従う様々なビキニの衣服を示す；
【図２ａ】図２ａ〜２ｃは、本発明の一実施形態に従う衣服において使用される取り付け手段を示す；
【図２ｂ】図２ａ〜２ｃは、本発明の一実施形態に従う衣服において使用される取り付け手段を示す；
【図２ｃ】図２ａ〜２ｃは、本発明の一実施形態に従う衣服において使用される取り付け手段を示す；
【図３】図３ａ〜３ｃは、本発明の一実施形態に従うビキニの衣服を示す；
【図４】図４ａ〜４ｃは、本発明の一実施形態に従うビキニの衣服を示す；
【図５】図５は、本発明の一実施形態に従う様々なビキニの衣服を示す。
【発明を実施するための形態】
【００１０】
本発明における第１の態様において、衣服上の少なくとも１つ以上の場所又は位置に選択的に取り付けることができる布材料の補足的な部分又はセクションを備えるように構成された、少なくとも１つの取り外し可能な布の拡張部分を含む衣服が提供され、
前記取り外し可能な布拡張部分は、取り外し可能な布拡張部分上に取り付け手段を含み、布材料の１つ以上のセクションが、取り付け手段から実質的に横方向に、延長する、若しくは従属する。
【００１１】
好ましくは、衣服は海水着又はサンウェア（ｓｕｎｗｅａｒ）の衣服であり、典型的には衣服は日光浴及び／又は水泳をすることにふさわしい。
【００１２】
典型的には、取り付け手段は実質的に線形の配置で、及び／又は実質的に軸に沿って、提供される。
【００１３】
それゆえ、シングルピースの水着又はツーピースのビキニのような衣服は、布材料の細長い一片が取り付け手段の少なくとも１つの側面に従属する実質的に線形の様式に通常配置され、取り付け手段を含む布材料の細長い一片の取り付けを用いて、選択的に装飾することができ、及び／又は外見を変化することができる。
【００１４】
典型的には、取り外し可能な布拡張部分は、互いに交換可能である。そのような衣服として、水着又はビキニなどは複数の異なる布拡張部分を備えることができる。
【００１５】
好ましい実施例では、取り外し可能な布拡張部分は衣服に分離可能に取り付けられている。
【００１６】
典型的には、対応的又は相補的な取り付け手段は、また衣服の１つ以上の部分に位置する。さらに典型的には、取り付け手段は取り外し可能な布拡張部分が取り付けられ得る方に、軸、位置、及び／又は進路を備える。さらに典型的には、取り付け手段は少なくとも１つの位置にて衣服を横切って実質的に水平方向に伸びる。そのような配置において、布材料は実質的に取り付け手段から下へ掛かる、若しくは下方向へ従属する。
【００１７】
一実施形態では、取り付け手段は、１つ以上の位置にて、取り外し可能な布拡張部分を衣服に取り付けるための固定の手段又は構成を含む。典型的には、解除可能な固定手段は衣服に拡張部分を分離可能に取り付けるために使用される。さらに典型的には、取り付け手段はいずれか１つ又はいずれかの組合せのスタッド（ｓｔｕｄ）、ボタン、クリップ、ホック、ひも穴（ｅｙｅｌｅｔ）、ジッパー及び／又はそれに類するものを含む。さらに典型的には、取り付け手段はプレススタッド（ｐｒｅｓｓ  ｓｔｕｄ）、ホッパースタット（ｐｏｐｐｅｒ  ｓｔｕｄ）及び／又はクリップを含む。
【００１８】
好ましい実施形態では、取り外し可能な布拡張部分は１つ以上の布のフリル、ひだ（ｒｕｆｆｌｅ）及び／又はそれに類するものを含む。典型的には、少なくとも拡張部分は様々な布及び／又はサイズで生産することができる。  
【００１９】
好ましくは衣服はビキニ又はツーピースの水着である。典型的には、水着のブラジャー部分及び／又はショーツ部分は取り付け手段を含む。
【００２０】
好ましい実施形態では、取り付け手段の列は実質的に衣服の上衣に、又は上衣の方に、位置する。一実施形態では、取り付け手段の列は衣服の下衣に、又は下衣の方に、位置する。典型的には、衣服は、同じものの上に位置する取り付け手段の少なくとも１つ、そして好ましくは２つの構成を有する。
【００２１】
好ましい実施形態では、衣服は、取り付け手段の列が衣服の上衣又はブラジャー部分に位置し、かつ取り付け手段の列が衣服の下衣又はショーツ部分に位置する、ビキニである。この配置では、取り外し可能な布拡張部分はビキニの衣服の上衣片及び下衣片のどちらか、又は両方に取り付けることができる。このことは、そのものにおいて３種類のビキニの「外見」又は外観を提供することを効果的に可能にする。
【００２２】
典型的には、布拡張部分は、衣服と同じ布材料から実質的に形成される。さらに典型的には、当業者は様々な材料から拡張部分を形成することができ、かつ異なるサイズに製造することができることを認識するであろう。
【００２３】
典型的には、布拡張部分の高さ又は厚さは、衣服の高さ若しくは厚さより少ない、又はより小さい。典型的には、布拡張部分はビキニの上衣及び下衣より薄い。
【００２４】
一実施形態では布拡張部分は実質的に衣服より長い。典型的には、取り付けた場合にスカートを形成する布拡張部分が備えられる。
【００２５】
一実施形態では単一の布拡張部分を、衣服上の２つ以上の場所に取り付けることができる。一実施形態では単一の布拡張部分を、ビキニ水着の上衣又はショーツに選択的に取り付けることができる。
【００２６】
本発明の第２の態様では、衣服を改変する方法が提供され、前記衣服は、衣服上の少なくとも１つ以上の場所に選択的に取り付けることができる布材料の補足的な部分又はセクションを備えるように構成された、少なくとも１つの取り外し可能な布の拡張部分を含み、
前記取り外し可能な布拡張部分は、取り外し可能な布拡張部分上に実質的に線形の配置で備えられる取り付け手段を含み、布材料の１つ以上のセクションが、取り付け手段から実質的に横方向に延長する、若しくは従属し、
前記方法は前記取り付け手段より前記取り外し可能な布拡張部分を衣服へ取り付ける工程を含む。
【００２７】
本発明の第３の態様では、衣服上の少なくとも１つ以上の場所に選択的に取り付けることができる布材料の補足的な部分又はセクションを備えるように構成された、少なくとも１つの取り外し可能な布の拡張部分を含む、衣服を構成又は製造する方法が提供され、
前記取り外し可能な布拡張部分は、取り付け手段を含み、布材料の１つ以上のセクションが、取り付け手段から実質的に横方向に、延長する、若しくは従属し、
前記方法は前記取り付け手段を衣服及び／又は取り外し可能な布拡張部分へ取り付ける工程を含む。
【００２８】
本発明のさらなる態様では、日光浴及び／又は水泳に適切な衣服システムを提供し、前記衣服システムは、取り外し可能な布拡張部分は衣服上の少なくとも１つ以上の場所へ選択的に付けることができる布材料の補足的な部分又はセクションを備える、少なくとも１つの取り外し可能な布拡張部分を含む。
【００２９】
発明のなおさらなる態様では、衣服の小売りパックが提供され、前記パックは衣服と少なくとも１つの交換可能で取り外し可能な布部分とを含む。
【００３０】
図１を参照すると、ここではビキニのブラジャー上衣４及びビキニの下衣又はショーツ６を含むビキニの衣服２を示す。衣服は装いの外観を変更するために、上衣４又はショーツ６へ取り付けることができる少なくとも１つの取り外し可能なフリル又は布部分８を含む。この例ではフリル材料８はショーツ及び／又は上衣の前面に取り付けられるが、しかし当業者は、材料８はショーツ６及び／又は実際には上衣４のいずれの部分へも取り付けが可能であると認識するであろう。本明細書に示される例では、また、材料８は実質的に水平軸に沿って取り付けられる。該技術の当業者は材料８を他の方向や配向で取り付けることができることを認識するであろう。
【００３１】
図１ａはビキニの衣服の上衣４又は下衣６に選択的に取り付けることができる無地ホワイトフリル８を示す。当業者は、材料８の相対寸法に応じて、同じフリルが下衣及び上衣の両方に使用できることを認識するであろう。代替的には、上衣又は下衣のための交換可能な材料のみが提供される。
【００３２】
同じように、図１ｂは円形模倣を有する布材料８’を示し、図１ｃはヒョウ柄模様の材料８’’を示す。このように、図１は、比較的地味な黒のビキニ２が異なる表面装飾を有する交換可能なフリル８を用いて変形可能である態様を示す。
【００３３】
異なる材料部分８が取り付け手段を含む態様を示す図２を参照すると、この例では材料８及び衣服の上にスナップボタンテープ１２又はプレススタッド１０が備わる。典型的には取り付け手段１０、１２は線形の様式で備わり、そこに従属する布材料８を有する。当業者は衣服又は材料８上の取り付け手段の構成が用途に適用するように調整され得ることを認識するであろう。
【００３４】
図３及び４は上衣４及び下衣６に取り付けられた異なる色のフリル材料８の黒と白のビキニをそれぞれ示す。異なる色のフリル８はビキニと共に販売され得、一度の購入で、少なくとも３種類のビキニの外見を効果的に使用者へ提供する。同様に、図５は、異なる模様の材料延長片８を有する衣服上の同じ固定手段を使用して達成することができる様々な模様の組み合わせを示す。
【００３５】
本願明細書の英語表記を表１に示す。
【表１】
2020193418.tif 000003
2020193418.tif 000004
2020193418.tif 000005
2020193418.tif 000006
2020193418.tif 000007
2020193418.tif 000008
2020193418.tif 000009
【図１】
2020193418.tif 000010
【図２ａ】
2020193418.tif 000011
【図２ｂ】
2020193418.tif 000012
【図２ｃ】
2020193418.tif 000013
【図３】
2020193418.tif 000014
【図４】
2020193418.tif 000015
【図５】
2020193418.tif 000016